(57)【特許請求の範囲】
【請求項１】
遠隔制御可能なドアロック装置において、
少なくとも予め登録されたＩＤキー番号を含むドアを解錠するための赤外線信号を投射し、また、前記投射される赤外線信号に対応するデータを接続される携帯電話機に伝送する赤外線リモコンと；
前記赤外線リモコンから伝送されたデータに対応して、前記ドアを解錠するための無線信号を送信する携帯電話機と；
前記赤外線リモコンから送出された赤外線信号または前記携帯電話機から送出された無線信号を受信し、受信した信号がドア解錠信号であり、受信したＩＤキー番号が予め登録されたＩＤキー番号と一致すれば、ドア解錠制御信号を出力する受信部と；
前記受信部から出力されるドア解錠制御信号に応じて解錠される電子ドアロックと；を含んで構成され、
前記赤外線リモコンに予め登録されたＩＤキー番号及び前記受信部に予め登録されたＩＤキー番号は任意に変更可能であること、
を特徴とする遠隔制御可能なドアロック装置。
【請求項２】
前記受信部は、
前記赤外線リモコンから送出された赤外線信号がＩＤキー番号を変更するための信号であれば、当該受信部に予め登録されているＩＤキー番号を変更することを特徴とする請求項１に記載の遠隔制御可能なドアロック装置。
【請求項３】
前記赤外線リモコンは、接続された前記携帯電話機のＤＴＭＦ信号を検出し、前記検出されたＤＴＭＦ信号がＩＤキー番号を変更するための信号であれば、当該赤外線リモコンに予め登録されているＩＤキー番号を変更し、前記変更されたＩＤキー番号をユーザーの操作により前記受信部に送出し、
前記受信部は、前記赤外線リモコンから送出された赤外線信号がＩＤキー番号を変更するための信号であれば、当該受信部に予め登録されているＩＤキー番号を変更することを特徴とする請求項１に記載の遠隔制御可能なドアロック装置。
【請求項４】
前記受信部は、
ドア解錠信号を受信すると、受信したＩＤキー番号と当該受信部に予め登録されているＩＤキー番号との照合を数秒後に行なうことを特徴とする請求項１に記載の遠隔制御可能なドアロック装置。
【請求項５】
遠隔制御可能なドアロック装置において、
少なくとも予め登録されたＩＤキー番号を含むドアを解錠するための赤外線信号を投射する、携帯電話機に接続可能な赤外線リモコンと；
前記赤外線リモコンから送出された赤外線信号を受信し、受信した信号がドア解錠信号であり、受信したＩＤキー番号が予め登録されたＩＤキー番号と一致すれば、ドア解錠制御信号を出力する受信部と；
前記受信部から出力されるドア解錠制御信号に応じて解錠される電子ドアロックと；を含んで構成され、
前記赤外線リモコンに予め登録されたＩＤキー番号及び前記受信部に予め登録されたＩＤキー番号は任意に変更可能であり、
前記赤外線リモコンは、接続された前記携帯電話機のＤＴＭＦ信号を検出し、前記検出されたＤＴＭＦ信号がＩＤキー番号を変更するための信号であれば、当該赤外線リモコンに予め登録されているＩＤキー番号を変更し、前記変更されたＩＤキー番号をユーザーの操作により前記受信部に送出し、
前記受信部は、前記赤外線リモコンから送出された赤外線信号がＩＤキー番号を変更するための信号であれば、当該受信部に予め登録されているＩＤキー番号を変更すること、
を特徴とする遠隔制御可能なドアロック装置。
【請求項６】
前記受信部は、
ドア解錠信号を受信すると、受信したＩＤキー番号と当該受信部に予め登録されているＩＤキー番号との照合を数秒後に行なうことを特徴とする請求項５に記載の遠隔制御可能なドアロック装置。
【発明の詳細な説明】
【０００１】
【発明の属する技術分野】
本発明は、携帯電話機または赤外線リモコンを使用して、遠隔から自動的にドアをロック（ｌｏｃｋ、施錠）またはアンロック（ｕｎｌｏｃｋ、解錠）することができる、遠隔制御可能なドアロック装置に関するものである。
【０００２】
その用途は、主に、マンション、オフィスビル、自動車、旅行用バッグ、駐車場等であり、使用者所有の携帯電話機、または赤外線リモコンを使用して遠隔から自動的にドアを解錠できるようにした遠隔制御可能なドアロック装置に関するものである。
【０００３】
【従来の技術】
従来から普及しているドアロック（錠前）は、鍵穴に鍵を差し込んで施錠および解錠を行う。しかし、このタイプのドアロックは、合鍵を容易に模造することができ、また、鍵穴に特殊な工具を差し込んで錠を解くピッキングによる侵入事件も激増しており、セキュリティー面での問題がある。そこで、最近ではキーボードを利用した電子ドアロック装置の使用が増加している。
【０００４】
前記電子ドアロック装置は、ドアの内側に設置されて実際にドアをロックする錠機構と、ドアの外側に設置されてドアロックを解錠するための暗証番号またはＩＤキー番号と呼ばれる信号を入力するキーボードから成る。前記キーボードから暗証番号またはＩＤキー番号を入力するとドアロックは開錠する。
【０００５】
しかしながら、このような従来の電子ドアロック装置には、荷物があるときや急いでいるときにキーボードを操作しなければならないといった不便さや、暗証番号またはＩＤキー番号を必ず記憶しておかなければならないといった煩わしさがある。
【０００６】
また、キーボードを操作しているところを外部の人間が盗み見るのは容易であり、暗証番号またはＩＤキー番号を他人に知られる恐れがある。一旦暗証番号またはＩＤキー番号が他人に漏れると、誰でも自在にドアロックを解錠することができるので、金品だけでなく、室内に人がいた場合は命にも危険が及びかねないといった問題がある。
【０００７】
また、キーボードがドアの外側に設置されているので、室外からのいたずらにより破損される可能性もあり、キーボードが破損された場合はドアロックを解錠できなくなってしまうという欠点がある。
【０００８】
また、従来の電子ドアロック装置は、製品の生産段階で暗証番号またはＩＤキー番号が決定されており、購入者が任意に暗証番号またはＩＤキー番号を変更することができない。どうしても暗証番号またはＩＤキー番号を変更したい場合には、製品の購入店または製造業者に依頼して、キーボードを取り替えてもらうか、あるいはプログラムを変更してもらわなければならず、ユーザーにとっての利便性が非常に低い。
【０００９】
また、従来の電子ドアロック装置では、室内に人がいないときに訪問者が来訪した場合、来訪者は暗証番号またはＩＤキー番号を教えてもらわない限り室内に入ることができず、その場合、屋外で待つか帰るかのどちらかしかないという不便さがある。
【００１０】
【発明が解決しようとする課題】
本発明は前術した従来の電子ドアロック装置における様々な問題点を解決するために提案されたものである。
【００１１】
本発明の目的は、マンション、オフィスビル、自動車、旅行用バッグ、駐車場等において、使用者所有の携帯電話機、または赤外線リモコンを利用して遠隔から自動的にドアを解錠できるようにした遠隔制御可能なドアロック装置を提供することにある。
【００１２】
本発明の他の目的は、自動的にドアの錠を開閉する錠装置（ドアロック装置）が備えられた部材に、前記ドアロック装置に無線信号を受信する受信部を付加し、遠隔から使用者が所持する移動通信端末装置を通じてドア解錠信号を無線信号にて送信すると、前記受信部でこれを受信し、自動的にドアロックを解除できるようにした遠隔制御可能なドアロック装置を提供することにある。
【００１３】
また、本発明の他の目的は、キーボードがないドアロック装置が備えられたドアの外部から赤外線を投射すると、ドアの内側に装着されたドアロック装置の受信部でこれを受信して自動的にドアロックを解錠できるようにした遠隔制御可能なドアロック装置を提供することにある。
【００１４】
【課題を解決するための手段】
上記課題を解決するために、本発明のある観点によれば、遠隔制御可能なドアロック装置において、少なくとも予め登録されたＩＤキー番号を含むドアを解錠するための赤外線信号を投射し、また、前記投射される赤外線信号に対応するデータを接続される携帯電話機に伝送する赤外線リモコンと；前記赤外線リモコンから伝送されたデータに対応して、前記ドアを解錠するための無線信号を送信する携帯電話機と；前記赤外線リモコンから送出された赤外線信号または前記携帯電話機から送出された無線信号を受信し、受信した信号がドア解錠信号であり、受信したＩＤキー番号が予め登録されたＩＤキー番号と一致すれば、ドア解錠制御信号を出力する受信部と；前記受信部から出力されるドア解錠制御信号に応じて解錠される電子ドアロックと；を含んで構成され、前記赤外線リモコンに予め登録されたＩＤキー番号及び前記受信部に予め登録されたＩＤキー番号は任意に変更可能であること、を特徴とする遠隔制御可能なドアロック装置が提供される。
上記課題を解決するために、本発明の別の観点によれば、遠隔制御可能なドアロック装置において、少なくとも予め登録されたＩＤキー番号を含むドアを解錠するための赤外線信号を投射する携帯電話機に接続可能な赤外線リモコンと；前記赤外線リモコンから送出された赤外線信号を受信し、受信した信号がドア解錠信号であり、受信したＩＤキー番号が予め登録されたＩＤキー番号と一致すれば、ドア解錠制御信号を出力する受信部と；前記受信部から出力されるドア解錠制御信号に応じて解錠される電子ドアロックと；を含んで構成され、前記赤外線リモコンに予め登録されたＩＤキー番号及び前記受信部に予め登録されたＩＤキー番号は任意に変更可能であり、前記赤外線リモコンは、接続された前記携帯電話機のＤＴＭＦ信号を検出し、前記検出されたＤＴＭＦ信号がＩＤキー番号を変更するための信号であれば、当該赤外線リモコンに予め登録されているＩＤキー番号を変更し、前記変更されたＩＤキー番号をユーザーの操作により前記受信部に送出し、前記受信部は、前記赤外線リモコンから送出された赤外線信号がＩＤキー番号を変更するための信号であれば、当該受信部に予め登録されているＩＤキー番号を変更すること、を特徴とする遠隔制御可能なドアロック装置が提供される。
【００１５】
本発明の電子ドアロック装置には、従来の電子ドアロック装置にあった暗証番号またはＩＤキー番号を入力するためのキーボードがなく、赤外線電子キーによって遠隔から鍵を解錠できるようになっている。赤外線信号によって遠隔からドアロックを開錠できるようにするため、ドア中間部に錠をシリンダーと結合して復帰スプリングで作動できるように横側に設置する。前記シリンダーの側方には、電子キーからの赤外線信号を感知する受光素子が機体の受光孔に位置するＣＰ回路と、前記ＣＰ回路からの出力によって、錠ピンが作動する電子錠部材がそれれぞれ設置され、カバー（ｃｏｖｅｒ）により密封される。
【００１６】
前記ドアロック装置の受光孔は通孔を通じて外部に通ずるようになっており、ドアまたは戸口の室内側に装着してドアをロックした後、外部から電子キーを通孔方向に向けてボタンを操作すると、ＩＤキー番号の赤外線信号が受光素子に受光され、数秒後に電子キーのＩＤキー番号とドアロックに登録されたＩＤキー番号が整合すればドアロックが解錠されるものである。ＩＤキー番号の照合を数秒後に遅延させて行うのは、全ての組み合わせのＩＤキー番号を投射するといった方法により、ＩＤキー番号が不正に盗まれるのを防止するためである。また、本発明のドアロック装置はドアの外部側にキーボードがなく、電子キーによって赤外線信号で遠隔操作によって解錠されるので、操返し使用しても外部の人間にＩＤキー番号を盗み見られる恐れは全くない。
更に、外部に設置されたキーボードがないのでドアロック装置の一部部材が外力によって破損される恐れがなく、より安全性が高められ、従来のドアロックと比較してより便利に使用できるように案出したものである。
【００１７】
【発明の実施の形態】
本発明を図面を参照しながら詳細に説明する。図１は、一般的な移動通信端末装置（ｍｏｂｉｌｅ ｒａｄｉｏ ｃｏｍｍｕｎｉｃａｔｉｏｎ ｔｅｒｍｉｎａｌ）である携帯電話機と無線送信機である赤外線リモコンを一組とする本発明のドアロック装置の開閉信号送信手段の一例である。
赤外線リモコン（１００）には、移動通信端末装置である携帯電話機（２００）を接続するワイヤ（３００）の一端部が連結されており、前記ワイヤ（３００）の他端部にはイヤホンジャック（３０１）が形成され、前記イヤホンジャック（３０１）は前記携帯電話機（２００）のイヤホン端子である外部データーインターフェイス端子（２０１）に接続するようになっている。
赤外線リモコン（１００）はドアの外部からドアを解錠するための赤外線信号を投射し、また、前記投射された赤外線信号に対応するデータを接続されている携帯電話機（２００）に伝送する。また、移動通信端末装置である携帯電話機（２００）は前記赤外線リモコン（１００）から伝送されたデータに対応してドアを解錠するための無線信号を送信する。ワイヤ（３００）は前記赤外線リモコン（１００）と前記携帯電話機（２００）間のデータ経路を提供する。データインターフェース端子またはポート（２０１）は前記携帯電話機（２００）の所定位置に備えられてデータをインターフェースする。
【００１８】
図２は、前記赤外線リモコン（１００）の回路図である。動作電源を供給するパワースイッチまたは電源（ＰＳＷ１）がオン（ｏｎ）の場合に、供給される１２Ｖの電源を所定の定電圧にする定電圧器（１１０）と、前記携帯電話機のボタン音であるＤＴＭＦ信号を検出するＩＣチップからなるレシーバー（１２０）と、前記レシーバー（１２０）で検出されたＤＴＭＦ信号に応じてドアロックの開（ｕｎｌｏｃｋ）および閉（ｌｏｃｋ）用制御データ信号を発生するＩＣチップからなる制御信号発生器（１３０）で構成される。ここで使用する電源は、バッテリー（電池）である。
【００１９】
図１に示された携帯電話機（２００）の外部データーインターフェイス端子またはポート（２０１）に赤外線リモコン（１００）のワイヤ（３００）のイヤホンジャック（３０１）を接続し、図２に示された無線送信機である赤外線リモコン（１００）のパワースイッチ（ＰＳＷ１）をオン（ｏｎ）にすると駆動電池（１２Ｖ）からの直流電源が定電圧器（１１０）に送られ、前記定電圧器（１１０）によって１２Ｖの直流電源は５Ｖの定電圧に変換され、前記レシーバー（１２０）と制御信号生成器（１３０）が稼動を開始する。この時、使用者が自分のドアロックを解錠するために設定されたＩＤキー番号に合わせて携帯電話機（２００）のボタンを操作すると、操作されたボタン音であるＤＴＭＦ信号を赤外線リモコン（１００）のレシーバー（１２０）側のマイクが検出し、検出された前記ＤＴＭＦ信号はコンデンサー（Ｃ１）と抵抗（Ｒ１）および（Ｒ２）を介してレシーバー（１２０）のポート２および３に入力される。各ポートより入力されたＤＴＭＦ信号は、レシーバー（１２０）のＩＣ回路によりそれぞれ特定された信号にデータ化され、赤外線リモコン（１００）の制御信号発生器（１３０）に伝達される。
【００２０】
前記制御信号発生器（１３０）は、前記レシーバー（１２０）から出力されたデータを認識し、それに相応するドアロックを解錠するための開（ｕｎｌｏｃｋ）信号を生成して出力する。出力された開信号は赤外線リモコン（１００）のワイヤ（３００）とイヤホンジャック（３０１）及び携帯電話機（２００）の外部データーインターフェイス端子（２０１）を通じて携帯電話機（２００）の制御部（図示せず）に伝達される。
無線通信機能を有する携帯電話機（２００）の制御部は、入力されたドアロックの開（ｕｎｌｏｃｋ）信号を認識し、これを無線信号に変換して空中に送出する。
即ち、移動通信端末装置である携帯電話機（２００）は、電子キーである赤外線リモコン（１００）から伝達されたドアロックの開信号から無線信号を形成して空中に送出するものである。ここで、本発明において、移動通信システムが用いられる。
尚、本発明は、図１に示されたような携帯電話機（２００）の外部データーインターフェイス端子（２０１）に赤外線リモコン（１００）のワイヤ（３００）のイヤホンジャック（３０１）を接続する方法を取らず、図２に示されたような赤外線リモコン（１００）内に構成される送信回路ソフトプログラムが内蔵されたレシーバー（１２０）と制御信号発生器（１３０）を介して赤外線を投射する電子キーである赤外線リモコン（１００）の機能を携帯電話機（２００）に内蔵させて、赤外線リモコン（１００）を別に保有することなく、携帯電話機（２００）単独でドア開錠信号であるＩＤキー番号の赤外線をドアロックに向けて投射することによって、ドアロックを開錠することもできる。
【００２１】
図３は、本発明のドアロック装置または閉鎖装置（図示せず）に設置される受信制御装置の回路図である。受信制御装置は、ソフトプログラムが内蔵されたＩＣチップからなるドアロック受信制御部（４１０）と、前記受信制御部（４１０）のポート（ＲＡ０）に連結されたリレーのスイッチ素子（Ｑ１）と、前記スイッチ素子（Ｑ１）によってドアロックの機械的動作を制御するリレー（ＲＬ１）と、前記受信制御部（４１０）のポート（ＲＢ０）に連結された赤外線信号を受光する赤外線受光部（４２０）から構成される。
【００２２】
前記移動通信端末装置である携帯電話機（２００）によって送出されたドアロックの開（ｕｎｌｏｃｋ）信号は、図４に示した受信制御部（４１０）の受信部であるＣＰ回路（ＩＣ）によって受信される。受信されたデータは受信制御部（４１０）で処理され、処理されたデータは抵抗（Ｒ３）を介してリレー（ＲＬ１）のスイッチ素子（Ｑ１）のベース側に入力され、前記スイッチ素子（Ｑ１）のコレクターとイミターがオンの状態になり、１２Ｖの電流が流れリレー（ＲＬ１）が作動する。このようにリレー（ＲＬ１）が作動することにより、図４および図５に図示したドアロック装置または閉鎖装置機構の作動に必要な電源が供給されて、ドアロックが解錠される。
【００２３】
一方、図４および図５に示したように、ドアロックの近接位置でドアロックを開錠（解錠）する場合には、わざわざ携帯電話機（２００）を使用せずに、電子キーである赤外線リモコン（１００）を使用してドアロックを解錠する。赤外線リモコン（１００）を使用してドアロックを解錠する場合は、赤外線リモコン（１００）を図３に示した前記受信制御装置に向けてボタン（１００ｂ）を押すと、赤外線リモコン（１００）の制御信号発生器（１３０）から赤外線信号が送出され、前記赤外線信号は受信制御部（４１０またはＩＣ）に連結された赤外線受光部（４２０またはＤ）により受信される。受信された赤外線データは、前記携帯電話機（２００）使用時と同樣に、受信制御部（４１０またはＩＣ）で処理され、処理されたデータは受信制御部（４１０またはＩＣ）のポート（ＲＡ０）を通じてスイッチ素子（Ｑ１）をオンの状態にして通電し、ドアロック装置または閉鎖装置を開閉させるリレー（ＲＬ１）に電源が供給され、ドアロックまたは閉鎖装置は開錠（解錠）される。
【００２４】
本発明の赤外線リモコン（１００）と移動通信端末装置である携帯電話機（２００）は一組として使用される。ドアロックまたは閉鎖装置を開閉するためのＩＤキー番号は携帯電話機（２００）または赤外線リモコン（１００）自体に固定的に設定されているのではなく、赤外線リモコン（１００）と携帯電話機（２００）を使用して、遠隔位置から簡単に、使用者しか知らない秘密のＩＤキー番号を任意に設定したり変更したりすることができる。
【００２５】
ドアロック装置または閉鎖装置に設置された受信制御装置のＩＤキー番号は、携帯電話機（２００）の０から９までの１０個のダイヤルを利用して１０桁までの番号に設定または変更することができる。
赤外線リモコンを紛失した場合は、他の新たなリモコンに替えることができ、また、他人にＩＤキー番号を知られてしまった場合には、即時にＩＤキー番号の変更を行うことができる。
本発明の遠隔操作可能なドアロック装置を、個人宅で使用する場合は、家族全員がそれぞれ赤外線リモコン（１００）と携帯電話機（２００）を所持することにより、誰もが自宅のドアロックを開（ｕｎｌｏｃｋ）閉（ｌｏｃｋ）することができる。また、赤外線リモコン（１００）を家族の１人だけが所持する場合、他の家族は赤外線リモコン（１００）を所持する家族と携帯電話等で連絡をとり、遠隔制御でドアロックを開けてもらうことができる。
また、オフィスの場合には、閉鎖装置のＩＤキー番号を知っている職員が外出中であっても、外出中の当該職員に連結をとれば閉鎖装置を外出先の遠隔位置から開けてもらうことができる。更に、重要あるいは秘密文書を保管する書庫の管理には、本発明の遠隔操作可能なドアロック装置は最適である。
【００２６】
次に、図４を用いて本発明の遠隔操作可能なドアロック装置の構造について説明する。錠掛けロッド（２）は傾斜端部（２ａ）を有し、突出スプリング（４ａ）によってシリンダー（３）の内外で摺動するようにシリンダー（３）に結合される。錠掛けロッド（２）とシリンダー（３）は、一組となって機体（１）の中間部に穿孔された通孔（１ａ）と通孔（１ｂ）の内外を作動するように復帰スプリング（４）と共に機体（１）に設置される。前記赤外線受光素子（Ｄ）である赤外線受光部（４２０）は、制御信号発生器（１３０）が内蔵された電子キーである赤外線リモコン（１００）のリモコンボタン（１００ｂ）を押すことにより投光部（１００ａ）から投射される赤外線信号を感知する。シリンダー（３）の一側方には、赤外線受光素子（Ｄ）である赤外線受光部（４２０）が機体（１）の受光孔（１ｆ）に位置するように入力端に備えられたソフトウェアプログラムが内蔵されたＣＰ回路（ＩＣ）である受信制御部（４１０）を設置する。隔板（１ｄ）で区画されたシリンダー（３）の他側方には前記ＣＰ回路（ＩＣ）の出力によってピン（５ａ）が作動する電子錠（電子ロック）部材（５）を設置し、ピン（５ａ）が隔板（１ｄ）の通孔（１ｅ）を貫通して前記シリンダー（３）の掛孔（３ａ）に掛かるようにする。また、電池室にはＤＣ６Ｖ電池（Ｖ）を各要素に電気的に連結されるように内蔵する。機体（１）には、解錠ボタン（７ａ）が前記ＣＰ回路（ＩＣ）の入力側に電気的に連結されるように形成されたカバー（７）が結合されており、通孔（８ａ）が形成されている門柱（８）あるいはドアの内側に装着して使用できるようになっている。
【００２７】
次に、前記電子キーである赤外線リモコン（１００）に自分のＩＤキー番号（暗証番号）を新規に登録する操作について説明する。まず、赤外線リモコン（１００）に形成されたイヤホン（図示せず）を引き出してイヤホンジャック（３０１）を携帯電話機（２００）のポート（２０１）に差し込む。次に、携帯電話機（２００）のテンキー「＃」を１回押し、赤ランプ（１００ｃ）が２回点滅するのを確認した後、出荷時に予め設定されている０から９までの数字で構成された１０桁のＩＤキー番号をテンキーにて入力し、最後にテンキー「＊」を押す。次に新しく登録する１０桁以内の自分のＩＤキー番号をテンキーにて入力し（例：０１２３）、数字に間違いがないことを画面上で確認してからテンキー「＃」を押し、赤ランプ（１００ｃ）が２回点滅するのを確認する。このとき赤ランプ（１００ｃ）が２回点滅しなければ新しいＩＤキー番号は読み込まれていないので、前記記載の操作を再度行う。前記の操作により、携帯電話機（２００）を使用しての電子キーである赤外線リモコン（１００）のＩＤキー番号の登録が完了する。
次に、前記操作で赤外線リモコン（１００）に登録されたＩＤキー番号をドアロック（Ｌ）側に送信して、ドアロック（Ｌ）側のＩＤキー番号（暗証番号）を登録する操作について説明する。まず、ドアロック（Ｌ）に形成された錠掛けロッド（２）がロック（施錠）された状態にして、赤外線リモコン（１００）を受光孔（１ｆ）に接するように近づけて赤外線リモコン（１００）のボタン（１００ｂ）を押す。赤ランプ（１００ｃ）が１回点滅して錠掛けロッド（２）が解錠されるまでボタン（１００ｂ）を押し続けると、ＩＤキー番号の赤外線信号がドアロック（Ｌ）の受光素子（Ｄ）より入力され、新しいＩＤキー番号が登録され、ドアロック（Ｌ）へのＩＤキー番号の送り込みが完了する。
その後は赤外線リモコン（１００）とドアロック（Ｌ）のＩＤキー番号が一致したときのみドアロックは解錠される。
ＩＤキー番号を変更したい場合は赤外線リモコン（１００）のイヤホンジャック（３０１）を携帯電話機（２００）のポート（２０１）に差し込んで連結した後に、携帯電話機（２００）のテンキー「＃」を赤ランプ（１００ｃ）が２回以上点滅するまで押す。このとき、赤外線リモコン（１００）側の旧ＩＤキー番号は削除された状態になり、ドアロック（Ｌ）側の旧ＩＤキー番号はデッドボルトを押すことにより削除される。次に、購入時に新規のＩＤキー番号を登録したときと同じ操作方法で新しいＩＤキー番号を登録することができる。
【００２８】
前述した通り、本発明は図５で示したように、ドアロック（Ｌ）の機体（１）をドアの内側の門柱（８）あるいはドアの内側に装着し、機体（１）に形成された受光孔（１ｆ）は門柱（８）に穿孔された通孔（８ａ）と一致するように、錠掛けロッド（２）はドアの錠リング（図示せず）、または機体（１）をドアに装着した場合は門柱の錠リング（図示せず）に掛けてロック（ｌｏｃｋ）される。ドアをロック（ｌｏｃｋ）する操作を行うと、図４上で２点鎖線で表示されたシリンダー（３）が実線状態に摺動し（図４の左方向へ移動）、傾斜端部（２ａ）が機体（１）の一側である通孔（１ａ）側の外部に突出し、他側の通孔（１ｂ）側ではシリンダー（３）は没入し、ピン（５ａ）がシリンダー（３）の掛孔（３ａ）に挿入されて掛かる。この状態でドアあるいは門を閉じると、錠リングと錠掛けロッド（２）の傾斜端部（２ａ）が摺動され、錠掛けロッド（２）がシリンダー（３）の内部に一旦没入し、ドアあるいは門が完全に閉じると突出スプリング（４ａ）によって錠リング（２）が突出した状態に戻り、錠掛けロッド（２）が錠リングに挿入されてドアはロック（施錠）される。
【００２９】
ドアを解錠する場合は、図５に示したように赤外線リモコン（１００）の投光部（１００ａ）を門柱（８）の通孔（８ａ）に向けてボタン（１００ｂ）を押すと、予め赤外線リコモン（１００）に設定してあるＩＤキー番号が赤外線信号で投射され、機体（１）の受光孔（１ｆ）を通して受光素子（Ｄ）で受光される。ドアロック（Ｌ）のＣＰ回路（ＩＣ）は、入力されたＩＤキー番号の赤外線信号とＣＰ回路（ＩＣ）に予め登録されているＩＤキー番号を照合し、ＩＤキー番号が一致すればドア解錠制御信号を出力し、電子錠（電子ロック）部材（５）の磁力によってピン（５ａ）が後進（図４の下方向に移動）すると、その瞬間復帰スプリング（４）によって錠掛けロッド（２）とシリンダー（３）が共に機体（１）の一側に後進（図４の右方向に移動）して解錠される。
入力されたＩＤキー番号の赤外線信号とＣＰ回路（ＩＣ）に予め登録されているＩＤキー番号の照合は、赤外線リモコン（１００）の赤外線信号がＣＰ回路（ＩＣ）に入力されてから数秒後に行われる。これは、コンピュータープログラムを用いて作成した１００億通りのＩＤキー番号を当該ドアロックに投射することにより、他人が不正にＩＤキー番号を盗むのを防止するためである。即ち、１００億通りのＩＤキー番号を投射して試す場合、全てを照合するには、一回の照合操作にかかる秒数の１００億倍の時間がかかることになる。仮に、赤外線信号の入力から１秒後に照合が行われるとすると、他人がＩＤキー番号を探し出すには１００億秒、即ち約３１２年もの時間を要する。つまり、ＩＤキー番号を盗むのは事実上不可能である。
室内側から解錠ボタン（７ａ）を押すと、ＣＰ回路（ＩＣ）は赤外線受光素子（Ｄ）に赤外線リモコン（１００）のＩＤキー番号の赤外線信号が入力されたときと同一の動作をするので、錠掛けロッド（２）を解錠することができる。
また、ドアをロック（施錠）したくない場合には、錠掛けロッド（２）とシリンダー（３）を機体（１）の一側に後進（図４の右方向に移動）させた状態でドアを開閉できるようになっている。
【００３０】
【実施例】
前記のように構成された遠隔制御可能なドアロック装置の動作を図２から図５を参照して詳細に説明する。（実施例１）では、本発明における移動通信端末装置である携帯電話機（２００）の無線信号を利用して遠隔からドアロックを自動的に解錠するドアロック装置の実施例について説明する。（実施例２）では、本発明における赤外線リモコンデジタルコンピュータキー（１００）（以下赤外線リモコンと記載する）を利用してドアの外側からドアロックを自動的に解錠するドアロック装置の実施例について説明する。
【００３１】
（実施例１）
来客が遠隔制御可能なドアロック装置が備えられた場所を訪問したり、あるいは、赤外線リモコン（１００）を持たない家族が帰宅した際に、使用者（ここでは赤外線リモコン（１００）および携帯電話機（２００）を所持する人間）に対して来客あるいは家族が、自身の携帯電話機等でドアの解錠を要求した場合、使用者はワイヤ（３００）を利用して赤外線リモコン（１００）と携帯電話機（２００）を接続し、赤外線リモコン（１００）に予め登録されているドアロック解錠のためのＩＤキー番号（暗証番号）を携帯電話機（２００）に伝送する。ここで赤外線リモコン（１００）と携帯電話機（２００）間のデータ通信には通常の有線通信インターフエイス端子であるポート（２０１）を使用する。
【００３２】
次に、前記ＩＤキー番号であるデータの携帯電話機（２００）への伝送が成功すれば、使用者は携帯電話機（２００）のモードをドアロック解錠モードに設定し、（予めセットされている）ドアロック解錠のためのキー操作を行うことにより、ドアロックを解除するＩＤキー番号を無線で送出する。
即ち、ドアロック解錠のための制御データをドアロック装置に伝送する際に、携帯電話機（２００）が用いられる。ここで、赤外線リモコン（１００）と携帯電話機（２００）間のデータ通信は通常の技術であるので、詳細な説明は省略する。
【００３３】
次に、前記ＩＤキー番号を赤外線リモコン（１００）に登録する方法について説明する。まず、赤外線リモコン（１００）に形成されたイヤホンジャック（３０１）を取り出して携帯電話機（２００）のボート（２０１）に差しむ。次に、携帯電話機のテンキー「＃」を１回押し、赤ランプ（１００ｃ）が２回点滅するのを確認した後、出荷時に予め設定されている０から９までの数字で構成された１０桁のＩＤキー番号をテンキーにて入力し、最後にテンキー「＊」を押して、出荷時に設定されているＩＤキー番号を消去する。次に新しく登録する１０桁以内の自分のＩＤキー番号をテンキーにて入力し、数字に間違いがないことを画面上で確認してからテンキー「＃」を押し、ＬＥＤ電球である赤ランプ（１００ｃ）が２回点滅するのを確認することにより、ＩＤキー番号のデータの登録が完了する。
前記操作で赤外線リモコン（１００）に登録されたＩＤキー番号は、携帯電話機（２００）を用いてドアロック（Ｌ）側に送信され、それによりドアロック（Ｌ）側のＩＤキー番号（暗証番号）が登録される。
赤外線リモコン（１００）、または携帯電話機（２００）のＩＤキー番号は、使用者が任意に変更することができる。また、ＩＤキー番号を１０桁の数字にすることにより、他人が同一タイプの赤外線リモコンを用いて１００億通りのＩＤキー番号の中から該当するＩＤキー番号を探り当ててドアロックを解錠するのは事実上不可能となる。
【００３４】
一方、前記携帯電話機（２００）から送出されたドアロック解除のための無線信号は、移動通信ネットワークを経由してドアロック（Ｌ）内の受信部（ＩＣ）に伝送されて、前記ドアロック（Ｌ）内の受信部（ＩＣ）はＩＤキー番号である無線信号を受信して処理する。
【００３５】
即ち、受信部（ＩＣ）は受信した無線信号の１０桁の数字のＩＤキー番号と、予めドアロック（Ｌ）に登録されている１０桁の数字のＩＤキー番号を比較し、一致すればドアロック解錠のための制御信号を発生する。このように発生された制御信号により、図４に図示したように、錠部材（５）の磁力作用によってピン（５ａ）が後進すると、その瞬間復帰スプリング（４）によって錠掛けロッド（２）とシリンダ（３）が共に機体（１）の一側に後進してドアロックが解錠される。
もちろん、室内からは解錠ボタン（７ａ）を押すと、前述した動作と同一の動作をするので、錠掛けロッド（２）を解錠することができる。
ここでドアをロック（施錠）したくない場合には、錠掛けロッド（２）とシリンダー（３）を機体（１）の一側に後進させた状態にしてドアを開閉できるようになっている。
【００３６】
（実施例２）
次に、使用者が赤外線リモコン（１００）を使用してドアロックを解錠する操作について説明する。
ドアを解錠する場合、図５に示したように、使用者が赤外線リモコン（１００）の投光部（１００ａ）を門柱（８）の通孔（８ａ）に向けてボタン（１００ｂ）を押すと、予め登録してあるＩＤキー番号が赤外線信号で投射され、機体（１）の受光孔（１ｆ）を通して赤外線受光素子（４２０またはＤ）で受光される。
ここで、前記赤外線リモコン（１００）は、図２に示しているように、電源供給のためのパワースイッチ（ＰＳＷ１）がオン（ｏｎ）の場合に供給される１２Ｖの電源を一定電圧にする定電圧器（１１０）と、使用者が携帯電話機（２００）にて操作したボタンに対応するＤＴＭＦ信号を検出するレシーバー（１２０）と、前記レシーバー（１２０）で検出されたＤＴＭＦ信号に応じて制御データ信号を発生する制御信号発生器（１３０）と、前記制御信号発生器（１３０）の出力に従ってドアロック解錠のためのＩＤキー番号に対応する赤外線を発生する赤外線ＬＥＤ（ＬＥＤ２）から成る。
ここで供給される電源にはバッテリ（電池）を使用する。
【００３７】
このように構成された赤外線リモコン（１００）は、先ず使用者がパワースイッチ（ＰＳＷ１）をオン（ｏｎ）にすると、駆動電源（１２Ｖ）が定電圧器（１１０）に流れる。前記定電圧器（１１０）は、１２Ｖの電源を５Ｖの定電圧に変換してから前記レシーバー（１２０）および前記制御信号発生器（１３０）に供給する。
前述したように５Ｖの定電圧が供給されたレシーバー（１２０）は、使用者が携帯電話機（２００）にて操作するテンキーの数字に対応して発生するＤＴＭＦ信号を検出することができる。そして、これをデータ化して前記制御信号発生器（１３０）に伝達する。
前記制御信号発生器（１３０）は前記レシーバー（１２０）から出力されたデータを認識し、それに対応するドアロック解錠制御信号（ドアオープン信号）を生成して出力する。
このようにして出力されたドアロック解錠制御信号（ドアオープン信号）に対応して、赤外線ＬＥＤ（ＬＥＤ２）が発光し、ＩＤキー番号である赤外線が投射される。
【００３８】
次に、投射された赤外線はドアロック装置内の所定の位置に備えられた受信部（ＩＣ）で受信され処理される。
即ち、前記受信部（ＩＣ）は、図３に示したように赤外線受光素子（Ｄ）である赤外線受光部（４２０）にて投射された赤外線信号を受信して電気信号に変換し、更にデジタルデータに変換してドアロック制御部（４１０）に伝達する。
ドアロック制御部（４１０）は、入力されたＩＤキー番号と内部メモリ（図示せず）に予め保存されているＩＤキー番号を比較し、両者が同一の場合のみポート（ＲＡ０）を通じてドアロックが解錠されるようにリレー制御信号を発生する。
このように発生されたリレー制御信号によってリレースイッチ素子（Ｑ１）はオン（ｏｎ）の状態になり、その結果リレー（ＲＬ１）には駆動電流が流れて図４の錠部材（５）に伝達される。
入力されたＩＤキー番号と内部メモリ（図示せず）に予め保存されているＩＤキー番号との比較は、ＩＤキー番号が入力されてから数秒後に行われる。これは、コンピュータープログラムを用いて作成した１００億通りのＩＤキー番号を当該ドアロックに投射することにより、他人が不正にＩＤキー番号を盗むのを防止するためである。
【００３９】
次に、本発明によるドアロック装置の構造を図４を用いて説明する。
ドアロック（Ｌ）の錠掛けロッド（２）は傾斜端部（２ａ）を有し、突出スプリング（４ａ）によってシリンダー（３）の内外で摺動するようにシリンダー（３）に結合される。錠掛けロッド（２）とシリンダー（３）は、一組となって機体（１）の中間部に穿孔された通孔（１ａ）と通孔（１ｂ）の内外を作動するように復帰スプリング（４）と共に機体（１）に設置される。前記受光素子（Ｄ）である赤外線受光部（４２０）は、制御信号発生器（１３０）が内蔵された電子キーである赤外線リモコン（１００）のリモコンボタン（１００ｂ）を押すことにより投光部（１００ａ）から投射される赤外線信号を感知する。シリンダ（３）の一側方には、赤外線受光素子（Ｄ）である赤外線受光部（４２０）が機体（１）の受光孔（１ｆ）に位置するように入力端に備えられたソフトウェアプログラムが内蔵されたＣＰ回路（ＩＣ）である受信制御部（４１０）を設置する。隔板（１ｄ）で区画されたシリンダー（３）の他側方では前記ＣＰ回路（ＩＣ）の出力によってピン（５ａ）が作動すれる電子錠（電子ロック）部材（５）を設置し、ピン（５ａ）が隔板（１ｄ）の通孔（１ｅ）を貫通して前記シリンダー（３）の掛孔（３ａ）に掛かるようにする。また、電池室にはＤＣ６Ｖ電池（Ｖ）を各要素に電気的に連結されるように内蔵する。機体（１）には、解錠ボタン（７ａ）が前記ＣＰ回路（ＩＣ）の入力側に電気的に連結されるよう形成されたカバー（７）が結合されており、通孔（８ａ）が形成されている門柱（８）あるいはドアの内側に装着して使用できるようになっている。
【００４０】
即ち、前記受信部（ＩＣ）からドアロック解除のための電流が発生すると、錠部材（５）の磁力によってピン（５ａ）が後進し、その瞬間復帰スプリング（４）によって錠掛けロッド（２）とシリンダー（３）が共に機体（１）の一側に後進してドアロック（Ｌ）が解錠される。
もちろん、室内からは解錠ボタン（７ａ）を押すと、前述した動作と同一の動作をするので、錠掛けロッド（２）を解錠することができる。
ここでドアをロック（施錠）したくない場合には、錠掛けロッド（２）とシリンダー（３）を機体（１）の一側に後進させた状態にしてドアを開閉できるようになっている。
【００４１】
上述した本発明の実施の形態では、マンション、オフィスビル、自動車、旅行用バック、駐車場などの自動ドアロック装置が備えられたドアの自動ロック解除についてだけ説明したが、本発明の応用分野はこれに限定されるものではなく、個人用部屋のドア、ホテルの客室、車庫（ガレージ）等にも応用可能である。
【００４２】
【発明の効果】
以上にて詳述した本発明の「遠隔制御可能なドアロック装置」においては、赤外線信号による遠隔操作によってドアロックを解錠できるようにしたので、周りに他人がいる時にドアロックを解錠してもＩＤキー番号（暗証番号）漏れる心配が全くない。また、外部にキーボードがないので、ドアロックを外部からピッキング等により物理的に操作するのは不可能である。また、いたずらによりキーボードを外部から破損される心配もない。赤外線リモコンを紛失した場合でも、ＩＤキー番号を即時に変更して使用することができる。ＩＤキー番号（暗証番号）には１０桁の数字を採用しており、他人が番号を解読するのは事実上不可能である。このように、本発明の「遠隔制御可能なドアロック装置」は、非常に安全性に優れているという利点がある。
ドアロックの解錠操作は、赤外線リモコンを用いて指１本で簡単にできる。また、外出先にて遠隔操作により、他の家族や来客のためにドアロックを解除することができる。このように、本発明の「遠隔制御可能なドアロック装置」は、非常に操作性に優れており、また、使い勝手が良いという利点がある。
【図面の簡単な説明】
【図１】本発明における遠隔制御可能なドアロック装置の赤外線リモコンと携帯電話機の結合構成の概略を示す図である。
【図２】図１の赤外線リモコンの一実施例の構成を示す図である。
【図３】図１の受信部の一実施例の構成を示す図である。
【図４】本発明における遠隔制御可能なドアロック装置の構造図である。
【図５】図４の側面図である、
【符号の説明】
１      ：機体
１ａ    ：通孔
１ｂ    ：通孔
１ｄ    ：隔板
１ｅ    ：通孔
１ｆ    ：受光孔
２      ：錠掛けロッド
２ａ    ：傾斜端部
３      ：シリンダー
３ａ    ：掛孔
４      ：復帰スプリング
４ａ    ：突出スプリング
５      ：錠部材
５ａ    ：ピン
７      ：カバー
７ａ    ：解錠ボタン
８      ：門柱
８ａ    ：通孔
１００  ：赤外線リモコン
１００ａ：投光部
１００ｂ：ボタン
１００ｃ：赤ランプ
１１０  ：定電圧器
１２０  ：レシーバー
１３０  ：制御信号発生器
２００  ：携帯電話機
２０１  ：ポート
３００  ：ワイヤ
３０１  ：イヤホンジャック
４１０  ：受信制御部
４２０  ：赤外線受光部
ＩＣ    ： 受信部
Ｄ      ：赤外線受光部
Ｌ      ：ドアロック
ＲＬ１  ：リレー
Ｑ１    ：リレースイッチ素子
Ｒ１    ：抵抗
Ｒ２    ：抵抗
Ｒ３    ：抵抗
【図１】
0003681660.tif 000002
【図２】
0003681660.tif 000003
【図３】
0003681660.tif 000004
【図４】
0003681660.tif 000005
【図５】
0003681660.tif 000006